(57)【要約】【課題】気流とファンフレームのフレーム壁部との摩擦によって発生されるノイズを低減し、気流の安定化と集中化を図り、性能を高めることができる滑らかな湾曲状拡大部を有する放熱ファンとそのファンフレーム構造，および放熱システムを提供する。【解決手段】  本発明における放熱装置のファンフレーム構造は、気流を一方の開口から他方の開口に導く柱状通路２１６を含み、少なくとも一つの前記開口の側にある前記柱状通路２１６の内周壁は、径方向に且つ外向きに拡大する滑らかな湾曲状拡大部Ｆを有する。【選択図】図２Ｂ
2006316787.tif 000002
【特許請求の範囲】
【請求項１】
気流を一方の開口から他方の開口に導く柱状通路を含み、
少なくとも一つの前記開口の側にある前記柱状通路の内周壁は、径方向に且つ外向きに拡大する滑らかな湾曲状拡大部を有する外フレームを備えた放熱装置のファンフレーム構造。
【請求項２】
前記湾曲状拡大部は、後続の気流が前記外フレームのフレーム壁に直接接触するのを防ぐために、気流に気流層を形成させる凹部を更に有する請求項１に記載のファンフレーム構造。
【請求項３】
前記開口は、吸気口と排気口からなり、前記柱状通路は、気流を前記吸気口から前記排気口に導くものであり、前記排気口の側にある前記柱状通路の内周壁が、径方向に且つ外向きに拡大する滑らかな前記湾曲状拡大部を有している請求項１に記載のファンフレーム構造。
【請求項４】
インペラ、および
前記インペラを収容するファンフレーム構造を含み、
前記ファンフレーム構造は、気流を一方の開口から他方の開口に導く柱状通路を含み、少なくとも一つの前記開口の側にある前記柱状通路の内周壁は、径方向に且つ外向きに拡大する滑らかな湾曲状拡大部を有する請求項１に記載の放熱装置。
【請求項５】
前記湾曲状拡大部は、後続の気流が前記ファンフレーム構造のフレーム壁に直接接触するのを防ぐために、気流に気流層を形成させる凹部を更に有する請求項４に記載の放熱装置。
【請求項６】
前記開口は、吸気口と排気口からなり、前記柱状通路は、気流を前記吸気口から前記排気口に導くものであり、前記排気口の側にある前記柱状通路の内周壁が、径方向に且つ外向きに拡大する滑らかな前記湾曲状拡大部を有している請求項４に記載の放熱装置。
【請求項７】
前記インペラの回転翼の長さは、前記湾曲状拡大部の径方向に沿って増加する請求項４に記載の放熱装置。
【請求項８】
前記放熱装置は、軸流式ファンである請求項４に記載の放熱装置。
【請求項９】
前記ファンフレーム構造に設けられたモーターベースを更に含み、前記インペラは、前記モーターベースに設けられ、前記モーターベースは、気流の通過面積を増加するために、径方向に傾斜した側部を有する請求項４に記載の放熱装置。
【請求項１０】
前記側部は、平面状または曲面状の表面を有する請求項９に記載の放熱装置。
【請求項１１】
システムフレームと、
前記システムフレーム内に設けられた少なくとも一つの電子部品と、
前記システムフレームに設けられ、少なくとも一つの前記電子部品の動作によって発生される熱を放散する放熱装置を含み、
前記放熱装置は、インペラと前記インペラを収容するファンフレーム構造を含み、前記ファンフレーム構造は、気流を一方の開口から他方の開口に導く柱状通路を含み、少なくとも一つの前記開口の側にある前記柱状通路の内周壁は、径方向に且つ外向きに拡大する滑らかな湾曲状拡大部を有する放熱システム。
【請求項１２】
前記湾曲状拡大部は、後続の気流が前記ファンフレーム構造のフレーム壁に直接接触するのを防ぐために、気流に気流層を形成させる凹部を更に有する請求項１１に記載の放熱システム。
【請求項１３】
前記開口は、吸気口と排気口からなり、前記柱状通路は、気流を前記吸気口から前記排気口に導くものであり、前記排気口の側にある前記柱状通路の内周壁が、径方向に且つ外向きに拡大する滑らかな前記湾曲状拡大部を有している請求項１１に記載の放熱システム。
【発明の詳細な説明】
【技術分野】
【０００１】
本発明は、放熱ファンとそのファンフレーム構造，および放熱システムに関し、特に、ノイズを低減できる放熱ファンとそのファンフレーム構造，および放熱システムに関するものである。
【背景技術】
【０００２】
電子装置の性能の発展に伴い、放熱装置または放熱システムは、現在の電子装置の中で不可欠な部品の１つとなった。電子装置から発生される熱を効果的に放散しなければ、電子装置の性能を損ない、破損を招くことになるからである。
【０００３】
現在最も広く用いられている放熱装置は、例えば特許文献１に示すようなファンである。図１Ａと図１Ｂを共に参照すると、図１Ａは、従来のファンの概略図を表しており、図１Ｂは、図１のＡ−Ａ’線に沿った断面図を表している。一般的に用いられている従来の放熱ファン１は、主にファンフレーム１１とインペラ１２により構成されている。ファンが動作する時、モーター１３によって、インペラ１２の回転を駆動し、熱を発する電子部品（図示せず）に気流を提供し、それにより当該電子部品からの放熱の目的を達成することができる。ファンフレーム１１は、ファンフレーム１１の両端に吸気口１１２と排気口１１４を形成する貫通孔を有する。吸気口１１２と排気口１１４は、中央の柱状通路１１６でつながれ、インペラ１２によって提供された気流を自由に吸入、排出させる。また、ファンフレーム１１における４つの隅部は、複数のネジ孔１４を有し、それによりファン１を（例えば、コンピュータのような）電子装置のフレームに固定することができる。
【０００４】
従来の放熱ファンにおいて、放熱の性能を高めるための構造として、図１Ｃ，図１Ｄ，および図１Ｅを参照すると、これらの各図は、従来のファンにおける３種類のファンフレームを改良した概略図を表している。従来のファンは、ファンフレーム１１の吸気口１１２、または排気口１１４の近傍に、傾斜角Ｃ（図１Ｃ）、またはリード角Ｄ（図１Ｄ）を形成して、気流の吸入または排出の面積を増加している。または、図１Ｅに示すように、ファンフレーム１１の排気口１１４の近傍が一部削られて、凹口Ｅを形成し、気流の排出の面積を増加している。しかし、ファンフレーム１１の排気口１１４の近傍が一部削られて形成された凹口Ｅは、気流の排出面積を増加させることができるが、それに相対して気流が容易に分散する欠点を生む。
【０００５】
しかし、図１Ｂ，図１Ｃ，図１Ｄ，または図１Ｅのファンフレームの何れにおいても、気流が排気口１１４を通過すなわち流れ出る時、柱状通路１１６（図１Ｂ）の内周壁に気流が直接接触し、或いは、傾斜角Ｃ，リード角Ｄ，または凹口Ｅの壁部に直接接触し、気流を遮って速度を遅くさせ、風圧を低下させる。更に、気流が遮られる影響によりノイズが発生し、且つ、ファンの回転速度が上がった時、それによって発生されるノイズレベルも対応して上がる。
【特許文献１】特開２００２−３４５１９９号公報
【発明の開示】
【発明が解決しようとする課題】
【０００６】
よって、上述の問題を解決するために、本発明は、気流とファンフレームのフレーム壁部との摩擦によって発生されるノイズを低減し、気流の安定化と集中化を図り、性能を高めることができる滑らかな湾曲状拡大部を有する放熱ファンとそのファンフレーム構造，および放熱システムを提供する。
【課題を解決するための手段】
【０００７】
本発明の目的に基づいて、放熱装置のファンフレーム構造を提供する。ファンフレーム構造は、気流を一方の開口から他方の開口に導く柱状通路を有する外フレームを含み、少なくとも一つの前記開口の側にある柱状通路の内周壁は、径方向に且つ外向きに拡大する滑らかな湾曲状拡大部を有する。湾曲状拡大部は、後続の気流が外フレームのフレーム壁に直接接触するのを防ぐために、気流に気流層を形成させる凹部を更に有する。湾曲状拡大部は、柱状通路の軸線に対して上下対称または左右対称に、或いは湾曲状拡大部は、柱状通路の軸線を中心に径方向且つ外向きに拡大し、且つ、外フレームの外側に突出する。また、少なくとも一つの開口の側にある湾曲状拡大部は、リード角，傾斜角，リード傾斜，または円弧角に形成される。
【０００８】
本発明のもう一つの目的に基づいて、放熱装置のファンフレーム構造を更に提供する。ファンフレーム構造は、吸気口、排気口と、気流を吸気口から排気口に導く柱状通路を有する外フレームを含み、排気口の側にある柱状通路の内周壁は、径方向に且つ外向きに拡大する滑らかな湾曲状拡大部を有する。湾曲状拡大部は、後続の気流が外フレームのフレーム壁に直接接触するのを防ぐために、気流に気流層を形成させる凹部を更に有する。湾曲状拡大部は、柱状通路の軸線に対して上下対称または左右対称に、或いは湾曲状拡大部は、柱状通路の軸線を中心に径方向且つ外向きに拡大し、且つ、外フレームの外側に突出する。また、排出口側にある湾曲状拡大部は、リード角，傾斜角，リード傾斜，または円弧角に形成される。
【０００９】
また、上述のファンフレーム構造において、吸気口側にある柱状通路の内周壁は、更に柱状通路の軸線に対して、上下対称または左右対称に径方向且つ外向きに拡大し、または、吸気口の側にある柱状通路の内周壁は、更に柱状通路の軸線に対して、外フレームから外側に突出し、径方向且つ外向きに拡大するか、または、円形または楕円形に径方向且つ外向きに拡大する。柱状通路の軸線に対して、吸気口側にある柱状通路の内周壁は、リード角，傾斜角，リード傾斜，または円弧角に形成される。
【００１０】
本発明のもう一つの目的に基づいて、インペラとファンフレーム構造を有する放熱装置を更に提供する。ファンフレーム構造は、インペラをその中に収容する。ファンフレーム構造は、気流を一方の開口から他方の開口に導く柱状通路を含み、排気口の側にある柱状通路の内周壁は、径方向に且つ外向きに拡大する滑らかな湾曲状拡大部を有する。湾曲状拡大部は、後続の気流がファンフレーム構造のフレーム壁に直接接触するのを防ぐために、気流に気流層を形成させる凹部を更に有する。湾曲状拡大部は、柱状通路の軸線に対して上下対称または左右対称に、或いは排気口の側にある湾曲状拡大部は、柱状通路の軸線に対して径且つ外向きに拡大し、且つ、ファンフレーム構造の外側に突出する。また、排気口の側にある湾曲状拡大部は、リード角，傾斜角，リード傾斜，または円弧角に形成される。
【００１１】
上述の放熱装置は、軸流式ファンを備えている。また、インペラの回転翼の長さは、湾曲状拡大部の径方向に沿って増加する。放熱装置は、ファンフレーム構造に設置されたモーターベースを含み、インペラは、モーターベースに設けられ、モーターベースは、気流の吸気または排出の面積を増加するために、径方向に傾斜した側部を有する。側部は、平面状または曲面状の表面を有する。ファンフレーム構造は、ほぼ正方形，円形，楕円形，またはひし形である。
【００１２】
本発明のもう一つの目的に基づいて、インペラとファンフレーム構造を含む放熱装置を提供する。ファンフレーム構造は、インペラをその中に収容する。ファンフレーム構造は、吸気口、排気口と、気流を吸気口から排気口に導く柱状通路を含み、少なくとも一つの前記開口の側にある柱状通路の内周壁は、径方向に且つ外向きに拡大する滑らかな湾曲状拡大部を有する。湾曲状拡大部は、後続の気流が外フレームのフレーム壁に直接接触するのを防ぐために、気流に気流層を形成させる凹部を更に有する。湾曲状拡大部は、柱状通路の軸線に対して上下対称または左右対称に、或いは湾曲状拡大部は、柱状通路の軸線を中心に径方向且つ外向きに拡大し、且つ、外フレームの外側に突出する。また、少なくとも一つの開口の側にある湾曲状拡大部は、リード角，傾斜角，リード傾斜，または円弧角に形成される。また、上述のファンフレーム構造において、吸気口の側にある柱状通路の内周壁は、更に柱状通路の軸線に対して、上下対称または左右対称に径方向且つ外向きに拡大し、または、吸気口の側にある柱状通路の内周壁は、更に柱状通路の軸線に対して、外フレームから外側に突出し、径方向且つ外向きに拡大するか、または、円形または楕円形に径方向且つ外向きに拡大する。柱状通路の軸線に対して、吸気口側にある柱状通路の内周壁は、リード角，傾斜角，リード傾斜，または円弧角に形成される。
【００１３】
上述の放熱装置は、軸流式ファンを備えている。また、インペラの回転翼の長さは、湾曲状拡大部の径方向に沿って増加する。放熱装置は、ファンフレーム構造に設置されたモーターベースを含み、インペラは、モーターベースに設けられ、モーターベースは、気流の吸気または排出の面積を増加するために、径方向に傾斜した側部を有する。側部は、平面状または曲面状の表面を有する。ファンフレーム構造は、ほぼ正方形，円形，楕円形，またはひし形である。
【００１４】
本発明のもう一つの目的に基づいて、システムフレームと、システムフレーム内に設けられた少なくとも一つの電子部品と、放熱装置とを含む放熱システムを提供する。放熱装置は、システムフレームに設けられ、少なくとも一つの電子部品の動作によって発生される熱を放散する。放熱装置は、インペラとインペラを収容するファンフレーム構造を含む。ファンフレーム構造は、気流を一方の開口から他方のに導く柱状通路を含み、且つ、少なくとも一つの開口の側にある前記柱状通路の内周壁は、径方向に且つ外向きに拡大する滑らかな湾曲状拡大部を有する。
【００１５】
本発明のもう一つの目的に基づいて、システムフレームと、システムフレーム内に設けられた少なくとも一つの電子部品と、放熱装置とを含む放熱システムを提供する。放熱装置は、システムフレームに設けられ、少なくとも一つの電子部品の動作によって発生される熱を放散する。放熱装置は、インペラとインペラを収容するファンフレーム構造を含む。ファンフレーム構造は、吸気口、排気口と、気流を吸気口から排気口に導く柱状通路を含み、排気口の側にある前記柱状通路の内周壁が、径方向に且つ外向きに拡大する滑らかな湾曲状拡大部を有する。
【発明の効果】
【００１６】
本発明の放熱ファンおよびそのファンフレーム構造，放熱システムは、湾曲状拡大部を有することで、気流とフレーム壁との間の摩擦によるノイズを減少させ、気流の安定化と集中化を図って、ファンの性能を高めることができる。また、ファンに元より設置されているその他の放熱部品に影響を与えない状態で、ファンフレーム構造の内周壁を外向きに拡大し、その吸気と排出の面積を増加させると共に、気流の集中化を図ることで、ファンの放熱性能を高めることができる。また、システムまたはその他の放熱部品にファンやファンフレーム構造を組立てる時、システムや放熱部品の配置を変える必要がない。
【発明を実施するための最良の形態】
【００１７】
本発明についての目的，特徴，長所が一層明確に理解されるよう、以下に実施形態を例示し、図面を参照にしながら、詳細に説明する。
【実施例】
【００１８】
図２Ａと図２Ｂを共に参照すると、図２Ａは、本発明の実施例に基づいたファンの概略図を表しており、図２Ｂは、図２ＡのＢ−Ｂ’線に沿った断面図を表している。本発明の放熱装置２は、例えば軸流式ファンであることができ、ファンフレーム構造２１と、インペラ２２と、モーターベース２６とを含む。ファンフレーム構造２１は、ほぼ正方形，円形，楕円形，またはひし形などの各種形状のフレーム即ち外フレームからなり、且つ、ファンフレーム構造２１は、柱状通路２１６を含む。ファンフレーム構造２１は、ファンフレーム構造２１の中に形成した柱状通路２１６と、ファンフレーム構造２１の両端に形成した吸気口２１２および排気口２１４とからなる貫通孔を有する。吸気口２１２と排気口２１４は、柱状通路２１６でつながれ、且つ、柱状通路２１６は、気流を一方の開口（即ち吸気口２１２）から他方の開口（即ち排気口２１４）に導き、インペラ２２によって発生された気流を、ファンフレーム構造２１に自由に吸入，排出させる。また、ファンフレーム構造２１における４つの隅部は、複数のネジ孔２４を有し、それによりファン２を（例えば、コンピュータのような）電子装置のフレームに固定させる。
【００１９】
ファンフレーム構造２１は、インペラ２２を収容し、且つ、モーターベース２６もファンフレーム構造２１の中に設置される。インペラ２２は、モーターベース２６の上に設置され、ファン２が動作する時、モーターベース２６の中に設置されたモーター２３によってインペラ２２の回転を駆動し、熱を発する電子部品（図示せず）に気流を提供し、放熱の目的を達成することができる。
【００２０】
続いて、図２Ｂと図３Ａを共に参照すると、図３Ａは、図２Ｂにおける湾曲状拡大部Ｆの概略図であり、空気の流れの方向を表している。排気口２１４の柱状通路２１６の内周壁は、径方向に且つ外向きに拡大する滑らかな湾曲状拡大部Ｆを有する。湾曲状拡大部Ｆは、この湾曲状拡大部Ｆの基端側で気流層を形成させるような、他の部位よりも曲率を意図的に大きくした凹部２１８を更に有しており、気流が凹部２１８に流れる時、凹部２１８に先に気流層を形成し、後続の気流がファンフレーム構造２１のフレーム壁に直接接触するのを防ぐ。よって、凹部２１８の近傍に位置する気流は、エアークッションの働きを提供することができ、後続の気流がファンフレーム構造２１のフレーム壁に直接接触しなくなる。よって、元の気体と固体の摩擦は、気体と気体の摩擦に変わり、ノイズを大幅に低下させることができる。また、湾曲状拡大部Ｆの凹部２１８が気流に対して十分な空間を更に提供することから、気流を安定化させることができる。また、気流が排気口２１４から排出される時、凹口Ｅの形成によって気流の流出面積を増加させる従来のファンフレーム１１（図１Ｅ）に比べ、本発明では排気口２１４側にある柱状通路２１６の内周壁が、径方向に且つ外向きに拡大する滑らかな湾曲状拡大部Ｆを有しているため、更に気流が集中して排出できる効果を有する。
【００２１】
湾曲状拡大部Ｆは、柱状通路２１６の軸線に対して左右対称、または上下対称（即ち、吸気口２１２の柱状通路２１６の内周壁にも径方向に且つ外向きに拡大する滑らかな別の湾曲拡大部を有する）にある。また、インペラ２２の回転翼の長さを、ファンフレーム構造２１の内周壁において、径方向に且つ外向きに拡大する滑らかに形成された湾曲状拡大部Ｆの形状に沿って増加させ、インペラ２２をファンフレーム構造２１に適合させることもできる。好ましくは、排気口２１４の湾曲状拡大部Ｆの先端は、よりスムーズに気流を排出するために、内周壁断面が曲線状に変化するリード角２１９ａ（図３Ａ），内周壁断面が直線状に変化する傾斜角，内周壁断面が曲線状および直線状に変化するリード傾斜角（ｌｅａｄ  ａｎｄ  ｓｌｏｐｅｄ  ａｎｇｌｅ），内周壁断面が円弧状に変化する円弧角などの面取り部が形成される。
【００２２】
また、吸気口２１２側におけるファンフレーム構造２１の内周壁も、傾斜角２１９ｂ（図２Ｂ），リード角，リード傾斜角（ｌｅａｄ  ａｎｄ  ｓｌｏｐｅｄ  ａｎｇｌｅ），円弧角などに形成することができ、吸気口２１２の面積も増加させることができる。または、上述の吸気口２１２側におけるファンフレーム構造２１の柱状通路２１６の内周壁は、更に柱状通路２１６の軸線を中心に、左右対称に径方向且つ外向きに拡大し、または、ファンフレーム構造２１の外側に突出して、円形または楕円形に径方向且つ外向きに拡大することができる。
【００２３】
上述以外に、使用者の必要に応じて、柱状通路２１６の軸線を中心に、湾曲状拡大部Ｆをファンフレーム構造２１から外側に突出させ、径方向且つ外向きに拡大させて、気流の吸気または排出の面積を更に拡大させることもできる。
【００２４】
図３Ｂを参照すると、ここには、本発明の実施例に基づいた別なファンフレーム構造の概略図を表している。ここでは、上述の湾曲状拡大部Ｆと、吸気口２１２および排気口２１４のリード角を設けている以外に、気流の吸気または排出の面積を拡大するために、モーターベース２６が径方向に傾斜した側部２６２を備えている。且つ、この径方向に傾斜した側部２６２は、平面状または曲面状の表面を有する。
【００２５】
実際の応用では、本案の放熱装置２は、複数の電子部品が設けられたシステムフレーム３内に配置され、放熱システム５を形成することができる。図４は、電子部品が設けられたシステムフレーム３と、本発明の放熱装置が配置された概略図を表している。システムフレーム３では、熱を発生する熱源、または電子部品が回路板４に実装される。放熱装置２は、適当な位置に設けられ、放熱装置２の動作によって発生した冷気を、熱源または電子部品に提供する。よって、電子部品によって発生された熱は、効果的に放熱され、電子部品が高温によって破損することを防ぐことができる。
【００２６】
図５Ａと図５Ｂを共に参照すると、図５Ａは、従来のファンにおける音響テストを行って得られた音波の結果であり、図５Ｂは、本発明のファンにおける音響テストを行って得られた音波の結果である。従来と本発明のファンは、共に約８ｃｍの直径を有するファンを用い、回転速度は５７００ｒｐｍであった。図５Ａと図５Ｂを比べると明らかなように、従来のファンは、６６５Ｈｚで明らかなノイズが発生し、本発明のファンはそこでは改善されている。
【００２７】
図６Ａと図６Ｂを共に参照すると、図６Ａは、従来のファンにおける音響テストを行って得られた音量の結果であり、図６Ｂは、本発明のファンにおける音響テストを行って得られた音量の結果である。従来と本発明のファンは、共に約８ｃｍの直径を有するファンを用い、回転速度は５７００ｒｐｍであった。図６Ａに見られるように、従来のファンが５７００ｒｐｍの回転速度で発生するノイズレベルは、４９.６ｄＢである。図６Ｂに見られるように、本発明のファンが同じ回転速度で発生するノイズレベルは、４６.７ｄＢである。よって、本発明を用いたファンは、従来のファンに比べ、低減したノイズ特性を提供する。
【００２８】
図７を参照すると、ここには従来のファンと本発明のファンとの特性比較を表している。従来と本発明のファンは、共に約８ｃｍの直径を有するファンを用い、回転速度は５７００ｒｐｍであった。同図に見られるように、本発明を用いたファンは、従来のファンに比べ、風圧と風量が大きい。約４０ＣＦＭの同じ風量で言えば、従来のファンは、約７.９ｍｍＨ２Ｏの風圧に達するが、本発明のファンは、約１２ｍｍＨ２Ｏの風圧に達することができ、風圧が約６３％増加される。また、約１０ｍｍＨ２Ｏの風圧で言えば、従来のファンは、約２８.８ＣＦＭの風量に達するが、本発明のファンは、約４５ＣＦＭの風量に達することができ、風量が約５６％増加される。よって、本発明のファンを用いると、風圧と風量を効果的に高めることができ、整流の効果を達成することができる。
【００２９】
このように、本発明の放熱ファンおよびそのファンフレーム構造，放熱システムは、湾曲状拡大部Ｆを有することで、気流とフレーム壁との間の摩擦によるノイズを減少させ、気流の安定化と集中化を図って、ファンの性能を高めることができる。また、ファンに元より設置されているその他の放熱部品に影響を与えない状態で、ファンフレーム構造２１の内周壁を外向きに拡大し、その吸気と排出の面積を増加させると共に、気流の集中化を図ることで、ファンの放熱性能を高めることができる。また、システムまたはその他の放熱部品にファンやファンフレーム構造２１を組立てる時、システムや放熱部品の配置を変える必要がない。
【００３０】
以上、本発明の好適な実施例を例示したが、これは本発明を限定するものではなく、本発明の精神及び範囲を逸脱しない限りにおいては、当業者であれば行い得る少々の変更や同様の装置を付加することは可能である。従って、本発明が保護を請求する範囲は、特許請求の範囲を基準とする。
【図面の簡単な説明】
【００３１】
【図１Ａ】従来のファンの概略図を表している。
【図１Ｂ】図１ＡのＡ−Ａ’線に沿った断面図を表している。
【図１Ｃ】従来のファンのファンフレームを改良した概略図を表している。
【図１Ｄ】従来のファンのファンフレームを改良した概略図を表している。
【図１Ｅ】従来のファンのファンフレームを改良した概略図を表している。
【図２Ａ】本発明の実施例に基づいたファンの概略図を表している。
【図２Ｂ】図２ＡのＢ−Ｂ’線に沿った断面図を表している。
【図３Ａ】図２Ｂにおける湾曲状拡大部Ｆの概略図であり、気流の方向を表している。
【図３Ｂ】本発明の実施例に基づいたもう一つのファンフレーム構造の断面図を表している。
【図４】電子部品を備えたシステムフレームと、本発明の放熱装置が配置された概略図を表している。
【図５Ａ】従来のファンと本発明のファンとの音波比較を表している。
【図５Ｂ】従来のファンと本発明のファンとの音波比較を表している。
【図６Ａ】従来のファンと本発明のファンとの音量比較を表している。
【図６Ｂ】従来のファンと本発明のファンとの音量比較を表している。
【図７】従来のファンと本発明のファンとの特性比較を表している。
【符号の説明】
【００３２】
１，２  ファン
１１，２１  ファンフレーム構造（外フレーム）
１１２，２１２  吸気口
１１４，２１４  排気口
１１６，２１６  柱状通路
１２，２２  インペラ
１３，２３  モーター
１４，２４  ネジ孔
２１８  凹部
２１９ａ  リード角
２１９ｂ  傾斜角
２６  モーターベース
２６２  側部
３  システムフレーム
４  回路板
５  放熱システム
Ｃ  傾斜角
Ｄ  リード角
Ｅ  凹口
Ｆ  湾曲状拡大部
【図１Ａ】
2006316787.tif 000003
【図１Ｂ】
2006316787.tif 000004
【図１Ｃ】
2006316787.tif 000005
【図１Ｄ】
2006316787.tif 000006
【図１Ｅ】
2006316787.tif 000007
【図２Ａ】
2006316787.tif 000008
【図２Ｂ】
2006316787.tif 000009
【図３Ａ】
2006316787.tif 000010
【図３Ｂ】
2006316787.tif 000011
【図４】
2006316787.tif 000012
【図５Ａ】
2006316787.tif 000013
【図５Ｂ】
2006316787.tif 000014
【図６Ａ】
2006316787.tif 000015
【図６Ｂ】
2006316787.tif 000016
【図７】
2006316787.tif 000017